(57)【要約】      （修正有）【課題】堅固に抜けにくい丸のこ刃を提供する。【解決手段】丸のこ本体１ａの外周縁の複数箇所に埋め込み凹部４ａが設けられ、埋め込み凹部４ａに、チップ３ａが嵌設される。埋め込み凹部４ａとチップ３ａとに鑞付けが施されている。【選択図】図２
0003166320.tif 000002
【実用新案登録請求の範囲】
【請求項１】
図及び本文に詳記した様に、側辺部の接着面の任意個所の一個所又は複数個所に欠如部を設けられたチップ３ａ又はそれに類するチップと内側側辺部の接着面の任意個所の一個所又は複数個所に欠如部を設けられた埋め込み凹部４ａ又はそれに類する埋め込み凹部を外周辺縁に設けられた丸のこ本体１ａ又はそれに類する丸のこ本体からなり且つ前記チップを前記埋め込み凹部に嵌設しそれ等の接着部を鑞付けもしくは他の接着加工を施して構成した事を特徴としたチップ欠落防止丸のこ刃。
【請求項２】
図及び本文に詳記した様に、下半部分又は底部部分がその上方部分より幅広く又は太くしたチップ又は主に下半部側辺部に任意個数の突起を設けられたチップ又はそれに類するチップと前記チップの主に下半部分の形状に合致又はほぼ合致する形状の埋め込み凹部を外周縁に任意間隔を以て複数個設けられた丸のこ本体１又はそれに類する丸のこ本体からなり且つ前記埋め込み凹部に前記チップを嵌設して構成した事を特徴とするチップ欠落防止丸のこ刃。
【考案の詳細な説明】
【技術分野】
【０００１】  本考案は、草木の刈り払い機、又は木工用等の丸のこ刃の先端に埋め込み状に設けられた主に硬鋼で形成された刃先となる短片（以下チップと称す）の埋め込み態様を、より堅固にしようとする事に関する。尚、図面に於ける説明として、図１のチップ３を埋め込んで形成されたのこ刃は丸のこ本体１の全周縁にわたり形成されているものであるが、周辺の一部ののこ刃のみを表示し、残り部分は２筋の鎖線で省略図示。又、図２〜図８は、図１の如く丸のこ本体１の外周縁全体に形成されたのこ刃の内の２個のみを拡大図示したものであって、以後、該二つののこ刃の一方のみに絞って代表説明される。尚、ただ単にのこ刃との表現は、チップとそれを埋め込まれた丸のこ本体１の外周縁に形成された凹凸部を含めた形状のものを指す。
【背景技術】
【０００２】  従来、主に草刈り時に遭遇する事として、回転中の丸のこ刃を地面すれすれに這わせる如く動かす作業中にあって、草の中にある石に気付かず、矢印Ａ回転方向へ高速回転中ののこ刃を石に激突させ、図１に示した如く、丸のこ本体１の外周縁全体に沿い埋め込み状態に設けられた複数個のチップ３が図の如く抜け落ちて、符号４の如きチップの欠落を招く事が往々にしてある。４は丸のこ本体１外周にチップ３の下半部分を埋め込み状に掴持する如く設ける為の埋め込み凹部。尚、２はチップ３に回転方向Ａ逆方向へかかる力に抗する為の支えでもあり、チップ掴持部５と相対してチップ３を固定して嵌設する為のチップ掴持部である。又、６は刈り払い機先端の回転軸に取りつける為の穴である。斯かる状況の中、石が多い所では短時間で回転のこ刃の相当部分のチップ３を欠落させ、作業に支障をきたす事が往々にして発生している。
【先行技術文献】
【非特許文献】
【０００３】
【非特許文献１】  「セフティーカタログ  ２００９」２４ページ  ＣＯＢＲＡ
【非特許文献２】  「セフティーカタログ  ２００９」２５ページ  豪快一番
【非特許文献３】  「セフティーカタログ  ２００９」２６ページ  世界最軽量２
【考案の概要】
【考案が解決しようとする課題】
【０００４】  従来の刈払い機の丸のこ刃は、図１及び図１に類似した形状の図８のものが、チップ３，及びチップ３ｇの形状、及び丸のこ本体１、１ｇの外周辺への埋め込み形態が一般的な型であり、図の如くチップ３、３ｇの下半部分の形状に合致する形状の埋め込み凹部４、４ｇを丸のこ本体１、１ｇの外周縁部に間隔を以て、図８の点線図示の如く複数形成して、チップ３、３ｇを矢印Ｂ方向へ押し込む如く嵌設し、埋め込み凹部４、４ｇの縁部分とチップ３，３ｇの縁部分との接着辺である点線部分を鑞付けして全体を形成しているのが現況である。又、図５、図６、図７は既存のもので、各図共チップ３ｄ、３ｅ、３ｆが丸のこ本体１ｄ、１ｅ、１ｆの外周辺縁に着装された状態を示し、チップ３ｄ，３ｅ、３ｆの形状及び該着装態様が他のものに比べて若干異なっているもので、図５に於ては、チップ３ｄ背面辺と、丸のこ本体１ｄに形成された図１に於けるチップ掴持部２に相当する部分２ｄ辺との接着辺を、又、図６に於ては、チップ３ｅの背面辺と丸のこ本体１ｅに形成された図１に於けるチップ掴持部２に相当する部分２ｅ辺との接着辺を、又、図７に於ては、チップ３ｆの背面辺と、丸のこ本体１ｆ側に形成された図１に於けるチップ掴持部２に相当する部分２ｆと極く微かな埋め込み様の形態を有する小突起５ｆの接着辺を、夫々鑞付けして形成しているのが現況である。図５〜図７及び図８の如き各チップ３ｄ、３ｅ、３ｆ、３ｇ、等の中にあって、それ等の埋め込み態様を見る時、特にチップの背面に若干の窪みを持つものに関しては、該窪みを有効に生かす可く該チップの下半部分を両側から堅固に且つ確実に掴持して矢印Ｃ方向へ抜けない様にする構造は無く、主に切れ味を重視、追求しているものである。各図中の前記各チップは度重なる衝撃で矢印Ｃ方向へと脱落し易い事は明らかであり、斯かる欠点を改善する事が現在の課題である。
【課題を解決するための手段】
【０００５】  上述欠点を解決する為の種々の構成を大きく分けて、後に二つの請求項を示すが、その手段の説明に当たり、本明細書全てに於ての各部分の呼称を統一する。
チップとは、硬鋼又はそれに類する素材で形成され、のこ刃の先端部になる全図中のチップ３、３ａ、３ｂ、３ｃ、３ｄ、３ｅ、３ｆ、３ｇ、３ｈ、３ｉの如き短片を差す。又、チップの下半部分とは、全図中のチップ、例えば図８中チップ３ｇで示すと、縦長にあるチップ３ｇの約半分から図示での下方部分を差す。又、チップ上方部分とは、同様に例えばチップ３ｇの図示半分辺りより上部分辺りを差す。チップの側辺縁とは、全図中のチップ、例えば図８中チップ３ｇで示すと、縦長にある点線に隣接するチップの側辺の縁を差す。チップの底部部分とは、全図中のチップ、例えば図８中チップ３ｇの最下端付近部分を差す。又、埋め込み凹部の底部部分とは、全図中の埋め込み凹部、例えば図８中の埋め込み凹部４ｇで示すと、その底部及び底部付近の側辺部を差す。埋め込み凹部側辺縁とは、図８で例えると点線で示した縦長の部分の縁を差す。尚、例えばチップ３の側辺縁と図１２の接着面１０、１１は同部位であり、又、例えば埋め込み凹部４の側辺縁と図１２の接着面１２、１３は同部位であり、説明上、適宜使い分けられる。
図２は請求項１、図３及び図４は請求項２の構成を示し、図９は図２の変形他例、図１０は図３、図４の変形他例、図１１は図３図示例のチップ３ｂを埋め込み凹部４ｂへの嵌設仕様を示すものである。図２、図３、図４は共に丸のこ本体１ａ，１ｂ，１ｃを、図１の如く軸線方向上面側から見た事を示し、矢印Ｂは前記丸のこ本体の平面上の中心へ向かう半径方向を示す。図２は、図１と基本的にはほぼ同様で、３ａはチップ。２ａ、５ａは共にチップ掴持部で、丸のこ本体１ａの外周縁に、図１の４の如き埋め込み凹部４ａを、間隔を保ちながら複数個所に形作られている。チップ３ａの側辺の下半部分に欠如部７ａを設け、更に埋め込み凹部４ａの底部部分の内側側辺に欠如部８ａを設けてチップ３ａを埋め込み凹部４ａに点線の如く嵌設する。又、図２の他例として、図９の如くチップ３ｈに複数の欠如部７ｈを設け、且つ埋め込み凹部４ｈの内側底部付近の側辺縁に複数の欠如部８ｈを設け、前記チップ３ｈを前記埋め込み凹部４ｈに嵌設する。尚、図２、図９図示例に於ては、嵌設後のチップ３ａ、チップ３ｈの掴持状態を堅固にする為、特にチップ掴持部５ｈを上方へ長めにし、チップ３ｈとの接する部分を長くする事が望ましい。尚、２ｈはチップ掴持部、１ｈは丸のこ本体である。図９の更なる他例として、図１２図示のチップ３ｊ側の縦長部分の接着面１０、１１、及び埋め込み凹部４ｊ内側の縦長部分の接着面１２、１３の全面に、もしくは一部の面に、図９の軸線方向に溝状にうがった欠如部７ｈ，８ｈの如き更なる小さな欠如部を、もしくは点状に抉られた如き多数の孔、もしくはそれ等に類似する欠如部を設けて前記埋め込み凹部４ｊに前記チップ３ｊを嵌設し、鑞付けを施す。尚、チップ３ｊの接着面１０、及び１１、埋め込み凹部４ｊ内側の接着面１２及び、１３に設ける欠如部は、先に掲げた種々の欠如部、及び図２にて示した欠如部７ａ、８ａ又はそれ等に類する欠如部、及び小さな他の形状の多数の欠如部も含めた種々の欠如部の任意組み合わせで夫々設けて構成し得る事は勿論ある。
図３に於ては、丸のこ本体１ｂの外周縁に間隔を以て複数設けた埋め込み凹部４ｂの底部付近の内側縁に欠如部８ｂを設け、更にチップ３ｂの下半部側辺に突起９ｂを設け、該チップ３ｂを前記埋め込み凹部４ｂに点線の如く嵌設する。又、請求項２の他の構造として、図４の如く丸のこ本体１ｃの外周辺に間隔を以て複数設けた埋め込み凹部４ｃの底部を、上部より幅広くし、更にチップ３ｃの底部分を上部より幅広くし、該チップを前記埋め込み凹部４ｃに点線の如く嵌設する。図４にて示したチップ３ｃ，埋め込み凹部４ｃの形状はこれに限定されるものではなく、底部分が上部より幅広いものであればよく、他の形状で構成しても為し得る。又チップ３ｃの変形他例の一例として、再拡大図１０の如くチップ３ｉの下端部分に突起９ｉを設け、且つ丸のこ本体１ｉの外周縁に間隔を以て複数設けられた埋め込み凹部４ｉの底部分付近の側辺縁に、突起９ｉに合致する欠如部８ｉを設け、前記チップ３ｉを前記埋め込み凹部４ｉに嵌設する。尚、２ｉ、５ｉはチップ掴持部である。如上実施例の如く、従来往々にしてあったチップの脱落を従来のものに比較して更に確実に防止する構造とした事により問題を解決するものである。
【考案の効果】
【０００６】  各図示例で述べた通り、図３を代表例とすれば、丸のこ本体１ｂの外周縁に複数設けられた埋め込み凹部４ｂの内部側縁と、それに嵌設される可きチップ３ｂの側縁との相互に相係合する突起９ｂ、欠如部８ｂを夫々設けた状態で嵌設し、前記相互の凹凸を絡み合わせた状態で、それ等を左右のチップ掴持部２ｂ，５ｂにより挟み込む状態を作り、その上にそれ等の接着辺を鑞付けする事により、従来の物に比較して堅固に抜けにくい丸のこ刃を提供するものである。
【図面の簡単な説明】
【０００７】
【図１】丸のこ刃全体を示す平面図
【図２】第１実施例を示す丸のこ刃の一部拡大図
【図３】第２実施例を示す丸のこ刃の一部拡大図
【図４】第２実施例を示す丸のこ刃の一部拡大図
【図５】従来よりある丸のこ刃の一部拡大図
【図６】従来よりある丸のこ刃の一部拡大図
【図７】従来よりある丸のこ刃の一部拡大図
【図８】従来よりある丸のこ刃の一部拡大図
【図９】第１実施例の変形他例を示す一部再拡大図
【図１０】第２実施例の変形他例を示す一部再拡大図
【図１１】図３のチップ３ｂを埋め込み凹部４ｂへ嵌設する仕様を示す斜視図
【図１２】部分名称を示す為の斜視図
【考案を実施するための形態】
【０００８】  第１実施例の図２及びその他例である図９に於ては、図の通り埋め込み凹部４ａにチップ３ａを、又埋め込み凹部４ｈにチップ３ｈを嵌設するには、半径方向中心へ向かう矢印Ｂ方向へ滑り込ませる如く嵌設し、且つ前記チップ３ａと埋め込み凹部４ａ内側側辺縁との接着部を鑞付けして固定させる。同じく前記チップ３ｈと埋め込み凹部４ｈ内側側辺縁との接着部を鑞付けして固定させる。該作業に於て、合対するチップ３ａの欠如部７ａと丸のこ本体１ａ側の欠如部８ａとの間に出来た空洞状の隙間に鑞が充填されて固定される。更に、他例の図９のものにあっても、同様に嵌設されたチップ３ｈの欠如部７ｈと丸のこ本体１ｈ側の欠如部８ｈとの間に出来た空洞状の隙間に鑞が充填されて固定される。
第２実施例に於ては、図３のチップ３ｂに設けた突起９ｂを、埋め込み凹部４ｂ底部付近に設けた欠如部８ｂに点線図示の如く係合させて嵌設する。又、図４、図１０にあっては、図４の如く底部が上部より幅広状の埋め込み凹部４ｃと底部が幅広状のチップ３ｃとからなり、チップ３ｃを点線図示の如く嵌設する。図１０にあっては、底部付近に図の如き突起９ｉを設けたチップ３ｉと、該チップ３ｉの下半部分の形状が嵌り得る形状の埋め込み凹部４ｉを、外周縁に複数設けられた丸のこ本体１ｉからなり、チップ３ｉを埋め込み凹部４ｉに嵌設する。然る後、各部所の接着辺は鑞付けされて構成される。尚、図３、図４、図１０に示された突起９ｂ，９ｉ、更に図４にて示されたチップ３ｃ等の形状は、それ等に限定されるものではなく種々の変形を以てしても為し得る事は勿論である。又、第１実施例の図２の変形として、埋め込み凹部４ａ内にある欠如部８ａを廃し、その個所に欠如部７ａと係合し得る形状の突起を設ける。又は、その逆の構造とする。該構造は、埋め込み凹部にチップを矢印Ｂ方向へと押し込める様にした第１実施例には該当せず、第２実施例に編入される。尚、既存の図１、図５、図６、図７、図８を除く本考案の図示例の中で、図２、図９のものにあっては、前述の通り第１実施例として掲げたもので、図２、図９の如くチップ３ａ，チップ３ｈを矢印Ｂ方向へ押し込んで嵌設する事が出来るものであるが、図３、図４、図１０のものにあっては、矢印Ｂ方向への嵌め込みは不可能であり、該実施例は図１１の如く嵌設する事が出来る。図１１は図３のものと同種のもので、図中３ｂはチップ、９ｂは突起、８ｂは埋め込み凹部４ｂ内に設けられた欠如部であり、前記突起９ｂと係合する事となる。矢印Ｄは丸のこ本体の平面と直角となる軸線方向である。斯かる状況でこれを嵌設するときは、チップ３ｂを図示矢印Ｄ表示部側から、矢印Ｄ方向へ欠如部８ｂに突起９ｂを係合させたまま押し込んで嵌設し、鑞付けして形成する。
【実施例】
【０００９】  第１実施例として、以下該当図面に従って説明する。図２の如く、側辺縁下半部分に欠如部７ａを設けられたチップ３ａと、該チップの下半部分を包含する如き形状の埋め込み凹部４ａを複数個所、外周縁に設けられた丸のこ本体１ａとからなり、且つチップ３ａを前記埋め込み凹部４ａに矢印Ｂ方向へ押し込んで鑞付けして構成する。又、第１実施例の細部の他例として、図９の如く、側辺の下半部分に複数の小さな欠如部７ｈを設けられたチップ３ｈと、該チップの下半部分を包含し得る形状を有し且つ内側下半部分に欠如部８ｈを設けられた埋め込み凹部４ｈを間隔を以て複数個所外周縁に設けられた丸のこ本体１ｈとからなり、且つチップ３ｈを前記埋め込み凹部４ｈに矢印Ｂ方向へ押し込んで鑞付けして構成する。尚、当第１実施例に於て、図２、図９にて示された諸々の欠如部の形状、及びそれ等の形成数は図示例だけに限定されるものではなく、例えば図１２図示のチップ３ｊの縦長部分の接着面１０、１１、及び埋め込み凹部４ｊ内側の縦長部分の接着面１２、１３の全面、もしくは一部面に、図９の軸線方向に溝状にうがった欠如部７ｈ、８ｈの如き更なる小さな欠如部を多数、もしくは点状に抉られた如き多数の孔、もしくはそれ等尚、チップ３ｊの接着面１０、及び１１、埋め込み凹部４ｊ内側の接着面１２、及び１３に設ける欠如部は、先に掲げた種々の欠如部、及び図２にて示した欠如部７ａ、８ａ又はそれ等に類する欠如部も含めた個々の欠如部の任意組み合わせで夫々設けて構成し得る事は勿論である。又、図２、図９の欠如部７ａ、８ａ、欠如部７ｈ、８ｈ等は図示の如く左右に設ける事に限定されるものではなく、それぞれの一個を左右何れかの一か所面のみに設けても為し得る。【００１０】  第２実施例として、以下該当図面に従って説明する。図３、図１０、図４の如く、側辺縁の下半部分に突起９ｂ、突起９ｉを設けたチップ３ｂ、３ｉ、もしくは下半部分がその上部部分より幅広く、又は太くしたチップ３ｃと、夫々のチップの下半部分の形状が嵌り得る形状の埋め込み凹部４ｂ、４ｉ、又は４ｃを各個別に、外周辺縁に複数個所設けられた丸のこ本体１ｂ、１ｉ、又は１ｃとからなり、前記チップ３ｂ、３ｉ、又は３ｃを前記埋め込み凹部４ｂ、４ｉ、又は４ｃの夫々に嵌設して構成する。尚、前記チップ等に設けられた突起の形状は図示例のみに限定されるものではなく。又、図３、図１０で示した前記突起９ｂ、９ｉは左右一対に限定されず、左右の内の一か所のみに設けてそれに対応した埋め込み凹部を形成しても為し得、当図示例のみに限定されない事は勿論である。【００１１】  その他の細部の実施例として、第１実施例図示の図２に於ては、チップ３ａの欠如部７ａに合対する埋め込み凹部４ａ内の欠如部８ａは図の如く半円状であるが、これを他の形状、例えば図９中の欠如部８ｈ、又は図１０中の欠如部８ｉ，又はその他の任意形状の欠如部にしても為し得、又逆にチップ３ａの欠如部７ａを他の任意形状の欠如部で構成し、合対する埋め込み凹部４ａ内の欠如部も他の任意形状にしても為し得る。従来の丸のこ刃は通常主に、図１の如く、丸のこ本体１の外周縁に均等な間隔を以てチップ３が配されているが、稀に丸のこ本体の中心から見た重心を配慮した上で、外周に配列されたチップをいくつか置きに間隔を変えたものもある。当明細書に記載される間隔を以てとの記載はこれ等を含んだものである。鑞付けは金属と金属とを接着させる技術で、一般的には主に、はんだ鑞、銀鑞、銅鑞等があるが、他の類似した接着技術があれば、それも含めた接着加工をしても良い。
【符号の説明】
【００１２】１    丸のこ本体
２    チップ掴持部
３    チップ
４    埋め込み凹部
５    チップ掴持部
６    回転軸取りつけ穴
１ａ  丸のこ本体
１ｂ  丸のこ本体
１ｃ  丸のこ本体
１ｄ  丸のこ本体
１ｅ  丸のこ本体
１ｆ  丸のこ本体
１ｇ  丸のこ本体
１ｈ  丸のこ本体
１ｉ  丸のこ本体
２ａ  チップ掴持部
２ｂ  チップ掴持部
２ｄ  図１に於けるチップ掴持部にあたる部分
２ｅ  図１に於けるチップ掴持部２にあたる部分
２ｆ  図１に於けるチップ掴持部２にあたる部分
２ｈ  チップ掴持部
２ｉ  チップ掴持部
３ａ  チップ
３ｂ  チップ
３ｃ  チップ
３ｄ  チップ
３ｅ  チップ
３ｆ  チップ
３ｇ  チップ
３ｈ  チップ
３ｉ  チップ
３ｊ  チップ
４ａ  埋め込み凹部
４ｂ  埋め込み凹部
４ｃ  埋め込み凹部
４ｇ  埋め込み凹部
４ｈ  埋め込み凹部
４ｉ  埋め込み凹部
４ｊ  埋め込み凹部
５ａ  チップ掴持部
５ｂ  チップ掴持部
５ｆ  小突起
５ｈ  チップ掴持部
５ｉ  チップ掴持部
７ａ  欠如部
７ｈ  欠如部
８ａ  欠如部
８ｂ  欠字部
８ｈ  欠如部
８ｉ  欠如部
９ｂ  突起
９ｉ  突起
１０  接着面
１１  接着面
１２  接着面
１３  接着面
Ａ    回転方向矢印
Ｂ    半径方向中心へ向かう矢印
Ｃ    半径方向外方へ向かう矢印
Ｄ    丸のこ本体１ｂの面と直角となる軸線方向矢印
【図１】
0003166320.tif 000003
【図２】
0003166320.tif 000004
【図３】
0003166320.tif 000005
【図４】
0003166320.tif 000006
【図５】
0003166320.tif 000007
【図６】
0003166320.tif 000008
【図７】
0003166320.tif 000009
【図８】
0003166320.tif 000010
【図９】
0003166320.tif 000011
【図１０】
0003166320.tif 000012
【図１１】
0003166320.tif 000013
【図１２】
0003166320.tif 000014
【手続補正書】
【提出日】平成22年9月29日(2010.9.29)
【手続補正１】
【補正対象書類名】明細書
【補正対象項目名】０００１
【補正方法】変更
【補正の内容】
【０００１】  本考案は、草木の刈り払い機、又は木工用等の丸のこ刃の先端に埋め込み状に設けられた通常チップと呼ばれている主に硬鋼で形成されている刃先となる短片の埋め込み態様を、より堅固にしょうとする事に関する。尚、図面に於ける説明として、図１のチップ３を埋め込んで形成されたのこ刃は、丸のこ本体１の全周縁にわたり形成されているものであるが、周辺の一部ののこ刃のみを図示し、残り部分は二筋の鎖線で省略図示。又、図２〜図８は、丸のこ本体の外周縁全体に形成されたのこ刃の内の２個のみを拡大図示したものであって、以後、該二つののこ刃の一方のみに絞って代表説明される。尚、ただ単にのこ刃との表現は、チップとそれを埋め込まれた丸のこ本体の外周縁に形成された凹凸部を含めた形状のものを差す。
【手続補正２】
【補正対象書類名】明細書
【補正対象項目名】０００９
【補正方法】変更
【補正の内容】
【０００９】  第１実施例として、以下該当図面に従って説明する。図２の如く、側辺縁下半部分に欠如部７ａを設けられたチップ３ａと、該チップの下半部分を包含し得る形状を有し且つその内側縁の底部付近に欠如部８を有する埋め込み凹部４ａを複数個所、外周縁に設けられた丸のこ本体１ａとからなり、且つチップ３ａを前記埋め込み凹部４ａに矢印Ｂ方向へ押し込んで鑞付けして構成する。又、第１実施例の細部の他例として、図９の如く、側辺縁下半部分に複数の小さな欠如部７ｈを設けられたチップ３ｈと、該チップの下半部分を包含し得る形状を有し且つその内側下半部分に欠如部８ｈを設けられた埋め込み凹部４ｈを間隔を以て複数個所外周縁に設けられた丸のこ本体１ｈとからなり、且つ前記チップ３ｈを前記埋め込み凹部４ｈに矢印Ｂ方向へ押し込んで鑞付けして構成する。尚、当第１実施例に於て、図２、図９にて示された諸々の欠如部の形状、及びそれ等の形成数は図示例だけに限定されるものではなく、例えば図１２図示のチップ３ｊの縦長部分の接着面１０、１１、及び埋め込み凹部４ｊ内側の縦長部分の接着面１２、１３の全面、もしくは一部面に、図９の軸線方向に溝状にうがった欠如部７ｈ、８ｈの如き更なる小さな欠如部を多数、もしくは点状に抉られた如き多数の孔、もしくはそれ等に類する欠如部を設け、該埋め込み凹部４ｊに前記チップ３ｊを嵌設し、鑞付けを施す。尚、チップ３ｊの接着面１０、及び１１、埋め込み凹部４ｊ内側の接着面１２、及び１３に設ける欠如部は、先に掲げた種々の欠如部、及び図２にて示した欠如部７ａ、８ａ又はそれ等に類する欠如部も含めた個々の欠如部の任意組み合わせで夫々設けて構成し得る事は勿論である。又、図２、図９の欠如部７ａ、８ａ、欠如部７ｈ、８ｈ等は図示の如く左右に設ける事に限定されるものではなく、それぞれの一個を左右の何れかの一箇所面のみに設けても為し得る事は勿論である。
【手続補正３】
【補正対象書類名】明細書
【補正対象項目名】００１０
【補正方法】変更
【補正の内容】
【００１０】  第２実施例として、以下該当図面に従って説明する。図３、図１０、図４の如く、側辺縁の下半部分に突起９ｂ、突起９ｉを設けたチップ３ｂ、３ｉ、もしくは下半部分がその上部部分より幅広く、又は太くしたチップ３ｃと、夫々のチップの下半部分の形状が嵌り得る形状の埋め込み凹部４ｂ、４ｉ、又は４ｃを各個別に、外周辺縁に複数個所設けられた丸のこ本体１ｂ、１ｉ、又は１ｃとからなり、前記チップ３ｂ、３ｉ、又は３ｃを前記埋め込み凹部４ｂ、４ｉ、又は４ｃの夫々に嵌設して構成する。尚、前記チップ等に設けられた突起の形状は図示例のみに限定されるものではない。又、図３、図１０で示した前記突起９ｂ、９ｉは左右一対に限定されず、左右の内の一箇所のみに設けてそれに対応した埋め込み凹部を形成しても為し得、当図示例のみに限定されない。
【手続補正４】
【補正対象書類名】明細書
【補正対象項目名】００１１
【補正方法】変更
【補正の内容】
【００１１】  その他の細部の実施例として、第１実施例図示の図２に於ては、チップ３ａの欠如部７ａに相対する埋め込み凹部４ａ内の欠如部８ａは図の如く半円状であるが、これを他の形状、例えば図９中の欠如部８ｈ、又は図１０中の欠如部８ｉ、又はその他の任意形状の欠如部にしても為し得、又逆にチップ３ａの欠如部７ａを他の任意形状の欠如部で構成し、相対する埋め込み凹部４ａ内の欠如部も他の任意形状にしても為し得る。従来の丸のこ刃は通常、主に図１の如く、丸のこ本体１の外周縁に間隔を以てチップ３が複数配されているが、それと同様に、当明細書に記載される複数個所に埋め込み凹部が設けられた、との記載は、図１の如く丸のこ本体の全周囲縁に設けられた、との意味である。鑞付けは金属と金属とを接着させる技術で、一般的には主に、はんだ鑞、銀鑞、銅鑞等があるが、その他の類似した接着技術も含めた接着加工を以てしても良い。
【手続補正５】
【補正対象書類名】明細書
【補正対象項目名】００１２
【補正方法】変更
【補正の内容】
【００１２】１      丸のこ本体
２      チップ掴持部
３      チップ
４      埋め込み凹部
５      チップ掴持部
６      回転軸取り付け穴
１ａ    丸のこ本体
１ｂ    丸のこ本体
１ｃ    丸のこ本体
１ｄ    丸のこ本体
１ｅ    丸のこ本体
１ｆ    丸のこ本体
１ｇ    丸のご本体
１ｈ    丸のこ本体
１ｉ    丸のこ本体
２ａ    チップ掴持部
２ｂ    チップ掴持部
２ｄ    図１に於けるチップ掴持部２にあたる部分
２ｅ    図１に於けるチップ掴持部２にあたる部分
２ｆ    図１に於けるチップ掴持部２にあたる部分
２ｈ    チップ掴持部
２ｉ    チップ掴持部
３ａ    チップ
３ｂ    チップ
３ｃ    チップ
３ｄ    チップ
３ｅ    チップ
３ｆ    チップ
３ｇ    チップ
３ｈ    チップ
３ｉ    チップ
３ｊ    チップ
４ａ    埋め込み凹部
４ｂ    埋め込み凹部
４ｃ    埋め込み凹部
４ｇ    埋め込み凹部
４ｈ    埋め込み凹部
４ｉ    埋め込み凹部
４ｊ    埋め込み凹部
５ａ    チップ掴持部
５ｂ    チップ掴持部
５ｆ    小突起
５ｈ    チップ掴持部
５ｉ    チップ掴持部
７ａ    欠如部
７ｈ    欠如部
８ａ    欠如部
８ｂ    欠如部
８ｈ    欠如部
８ｉ    欠如部
９ｂ    突起
９ｉ    突起
１０    接着面
１１    接着面
１２    接着面
１３    接着面
Ａ      回転方向矢印
Ｂ      半径方向中心へ向かう矢印
Ｃ      半径方向外方へ向かう矢印
Ｄ      丸のこ本体１ｂの面と直角となる軸線方向矢印
【手続補正６】
【補正対象書類名】明細書
【補正対象項目名】実用新案登録請求の範囲
【補正方法】変更
【補正の内容】
【書類名】    実用新案登録請求の範囲
【請求項１】
本文に詳記した様に、側辺部の接着面の任意個所の一箇所又は複数個所に欠如部を設けられたチップ又はそれに類するものと内側側辺部の接着面の任意個所の一箇所又は複数個所に欠如部を設けられた埋め込み凹部又はそれに類するものを外周辺縁の複数個所に任意間隔を以て設けられた丸のこ本体又はそれに類するものからなり且つ前記チップを前記埋め込み凹部に嵌設しそれ等の接着部を鑞付け加工して構成した事を特徴としたチップ欠落防止丸のこ刃。
【請求項２】
本文に詳記した様に、下半部分又は底部部分がその上方部分より幅広く又は太くしたチップ又は主に下半部側辺部に任意個数の突起を設けられたチップ又はそれに類するものと前記チップの主に下半部分の形状に合致又はほぼ合致する形状を有する埋め込み凹部を外周縁の複数個所に任意間隔を以て設けられた丸のこ本体又はそれに類するものからなり且つ前記埋め込み凹部に前記チップを嵌設しそれ等の接着部を鑞付け加工して構成した事を特徴としたチップ欠落防止丸のこ刃。
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
円状の外周縁に沿い複数個所設けられた埋め込み凹部に夫々チップを嵌設された丸のこ刃に於て前記チップの側辺部の任意個所の少なくとも一箇所に欠如部が設けられており且つ該欠如部に相対する前記埋め込み凹部の内側側辺部に欠如部が設けられており且つ前記チップと前記埋め込み凹部の相互間に鑞付けが施されている事を特徴とするチップ欠落防止丸のこ刃。
【請求項２】
下半部分又は底部部分がその上方部分より幅広く又は太くしたチップ又は主に下半部側辺部に任意個数の突起を設けられたチップと前記チップの主に下半部分の形状に合致又はほぼ合致する形状を有する埋め込み凹部を外周縁の複数個所に設けられた丸のこ本体からなり且つ前記埋め込み凹部に前記チップが嵌設されており且つ前記埋め込み凹部と前記チップとの相互間に鑞付けが施されている事を特徴とするチップ欠落防止丸のこ刃。
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
円状の外周縁に沿い複数個所に設けられた埋め込み凹部に夫々チップを嵌設された丸のこ刃に於て前記チップの側辺部の任意個所の少なくとも一箇所に欠如部が設けられており且つ該欠如部に相対する前記埋め込み凹部の内側側辺部に欠如部が設けられており且つ前記チップと前記埋め込み凹部の相互間に鑞付けが施されている事を特徴とするチップ欠落防止丸のこ刃。
【請求項２】
下半部分又は底部部分がその上方部分よりも幅広く又は太くしたチップ又は主に下半部側辺部に任意個数の突起を設けられたチップと前記チップの主に下半部分の形状に合致又はほぼ合致する形状を有する埋め込み凹部を外周縁の複数個所に設けられた丸のこ本体からなり且つ前記埋め込み凹部に前記チップが嵌設されており且つ前記埋め込み凹部と前記チップとの相互間に鑞付けが施されている事を特徴とするチップ欠落防止丸のこ刃。